(57)【要約】 【課題】  機器の設置や配線の設置が容易且つ整理して行うことが可能であり、外観的にも好ましい印象を与えることができるフエンス用機器取り付け装置及びフエンスを提供する。【解決手段】支柱１には支柱ボックス３が装着され、支柱ボックス３の上に機器装着部４が設けられ、この機器装着部４にセンサや監視カメラなどの任意の機器を装着する。支柱ボックス３には配線ホルダ５が接続し、電源や信号などの配線を配置できる。機器のケーブル９０等は機器装着部４内部に引き込み、更に支柱ボックス３を経由して配線ホルダ５に導くことにより外部に露出させずに敷設する。【選択図】  図１
2007332630.tif 000002
【特許請求の範囲】
【請求項１】
配線を備えた機器をフエンスに取り付けるためのフエンス用機器取り付け装置において、
フエンスの支柱の頂部に装着され、配線を収納する空間を有する支柱ボックスと、
前記支柱ボックスの上に装着され、所定の機器を装着する機器装着部と、
前記支柱ボックスの前記空間に連通し、配線を収納する配線ホルダと、
を有するフエンス用機器取り付け装置。
【請求項２】
前記配線ホルダが、該ホルダを開放可能な開閉蓋を備えた、
請求項１のフエンス用機器取り付け装置。
【請求項３】
支柱と該支柱間に装着されたフエンス体とを備えたフエンスにおいて、
フエンスの支柱の頂部に装着され、機器の配線を収納する空間を有する支柱ボックスと、
前記支柱ボックスの上に装着され、配線を備えた機器を装着する機器装着部と、
フエンスの適宜箇所に装着され、前記支柱ボックスの前記空間に連通し、配線を収納する配線ホルダと、
を有するフエンス。
【請求項４】
前記配線ホルダが、前記フエンス体の上端部に配設され、該ホルダの上面を開放可能な開閉蓋を備えた、
請求項３のフエンス。
【発明の詳細な説明】
【技術分野】
【０００１】
この発明は、フエンス用機器取り付け装置及びフエンスに関する。
【背景技術】
【０００２】
近年安全性に対する意識が高まりつつあり、フエンスなどに人の侵入を検出するセンサや監視カメラ、防犯灯或いは防犯ブザーなどの機器を装着する需要が高まりつつある。
例えば、特開２００５―３３９０６５号にはフエンスの支柱上にビームセンサユニット等の機器を装着したシステムが開示されている。また、特開２００５−３２２２４号にはフエンス近傍に監視カメラを装着した防犯システムが示されている。
【０００３】
【特許文献１】特開２００５―３３９０６５号公報
【特許文献２】特開２００５−３２２２４号公報
【発明の開示】
【発明が解決しようとする課題】
【０００４】
しかし、従来の構成は、特許文献１に示すように支柱とセンサなどの機器を一体的に構成するか、或いは特許文献２に示すようにフエンスとカメラを全く別体として装着する構成しかなかった。
フエンス本体や支柱と機器を一体として構成する場合、フエンスの種類と機器の組み合わせに自由度がない上、敷設済みのフエンスに装着することが難しいなどの問題がある。また、フエンスと機器を別体に装着する場合、フエンスの他に別に支柱などの構造体が必要である上、このように新たな支柱を設置するスペースが必要であるなどの問題がある。
更に、上記した何れの場合にも、機器に伴う電源ケーブルや信号ケーブルの処理については、全く考慮がなされておらず、ケーブルを地中に埋めるなどの手間の掛かる処理が必要であった。
本発明は上記従来技術の問題を解決することを目的とする。
【課題を解決するための手段】
【０００５】
上記目的を達成するために、本発明においては、フエンスの支柱の頂部に装着され、配線を収納する空間を有する支柱ボックスと、前記支柱ボックスの上に装着され、所定の機器を装着する機器装着部と、前記支柱ボックスの前記空間に連通し、配線を収納する配線ホルダと、を有する。
該機器装着部にセンサやカメラ等の任意の機器を装着することでき、しかも支柱ボックスと配線ホルダにケーブル類を収納できるから、フエンスへの機器の設置が簡単に行える。
前記配線ホルダには、該ホルダを開放可能な開閉蓋を備えることが望ましく、この構成により配線の設置が容易になる。
また前記配線ホルダを、フエンス体の上端部に配設し、更に該ホルダの上面を開放可能な開閉蓋を設ければ、配線の設置が更に容易になる。
【発明の効果】
【０００６】
本発明によれば、フエンスにおける機器の設置や配線の設置が容易且つ整理して行うことが可能であり、外観的にも好ましい印象を与えることができる等の効果がある。
【発明を実施するための最良の形態】
【０００７】
以下本発明の実施の形態を図面に基づいて説明する。
図１において、支柱１、１間にフエンス体２が取り付けられ、フエンスを構成している。
支柱１には支柱ボックス３が装着され、支柱ボックス３の上に機器装着部４が設けられ、この機器装着部４にセンサや監視カメラなどの任意の機器を装着できるようになっている。支柱ボックス３には配線ホルダ５が接続し、電源や信号などの配線であるケーブル９０を配置できるようになっている。
【０００８】
支柱ボックス３は、図２に示すように、上面に開口３１を設け、下面に底面３５を設けた円筒形の箱体であり、前記底面３５が支柱１の頭部に接触するように支柱１上に載置されている。支柱ボックス３は支柱１よりも若干径大であって、支柱ボックス３の側壁の下端部が支柱１の外周を覆うように載置されている。支柱ボックス３の底面３５と支柱１の頭部は図３に示すようにボルト・ナットなどにより固定される。
【０００９】
支柱ボックス３の側周部には連通孔３３が形成され、この連通孔３３に配線ホルダ５が貫通して支柱ボックス３の内部に貫入するように構成されている。連通孔３３の数及びその位置は、適宜の位置でよい。この実施形態では、支柱１の左右のフエンス体２、２がほぼ９０度の角度で装着されているため、連通孔３３を２個、約９０度の角度で形成してある。
【００１０】
支柱ボックス３の内部は空間３０になっており、配線ホルダ５を通って導かれたケーブル９０等が収納されるようになっている。
開口３１の周囲にはフランジ３２が設けられており、このフランジ３２を介して支柱ボックス３の上に機器装着部４を装着するように構成されている。
【００１１】
機器装着部４は長方形の空間４０を有する箱であり、下面が開口４１になっていて、開口３１に対向し空間３０に連通するように構成されている。開口４１の周囲にはフランジ３２と同形のフランジ４２が形成されており、図３に示すようにフランジ３２と密着してボルト・ナットなどにより締結されるように構成されている。
【００１２】
機器装着部４の側面は装着面４４になっており、ここにセンサや監視カメラなどの機器を取り付けるようになっている。
また機器装着部４の頭部は開閉可能な開閉蓋４３になっており、空間４０における機器の配線作業などを簡単に行えるようになっている。
【００１３】
配線ホルダ５はこの実施形態ではフエンス体２の胴縁２０の上に胴縁２０に沿って設置されるように構成されており、長尺の筒体になっている。
図４に示すように配線ホルダ５の内部は空間５０になっており、その上面は開口面５１になっている。この開口面５１に開閉蓋５２を被せて筒状形を形成するように構成されている。開閉蓋５２は図５に示すように配線ホルダ５の側壁の外側に被るように装着され、ボルト・ナットなどにより固定されるようになっている。
この開閉蓋５２を開けて、開口面５１からケーブル９０等の敷設を簡単に行えるように構成されている。
【００１４】
配線ホルダ５は、図５及び図３に示すように胴縁２０上にバンド５５を介して装着されるようになっている。
バンド５５は胴縁２０に巻き付いて固定されており、胴縁２０の適宜箇所に必要数設けられている。このバンド５５の頭部にボルト５６などにより配線ホルダ５が固定されるようになっている。ボルト５６は開閉蓋５２を開けて、空間５０内部から装着すればよい。
【００１５】
上記説明した構成では、支柱ボックス３の上に機器装着部４を装着しているが、支柱ボックス３を単にケーブル９０等の中継部として使用しても良い。図１の支柱ボックス３’は機器装着部４を装着せずに、中継部として使用している。
また、配線ホルダ５を支柱１の頭部を通過させて使用することも可能であり、図１の支柱１’においては、その頭部を配線ホルダ５が通過している。
【００１６】
以上の構成において、支柱ボックス３を支柱１に装着し、更に支柱ボックス３の上に機器装着部４を装着して、機器装着部４の装着面４４に所望の機器を装着することが可能である。
機器のケーブル９０等は機器装着部４に穴を開けて、空間４０に引き込むことが可能であり、このケーブル９０を支柱ボックス３の空間３０に導き、更に支柱ボックス３に配線ホルダ５を連結して配線ホルダ５に導くことができる。
そのため、ケーブル９０の敷設が簡単であり、また外部に露出しないため、ケーブル９０の保護や外観上も好ましい。
【００１７】
また、配線ホルダ５は胴縁２０上に装着され、しかも開閉蓋５２により開口面５１が露出し、空間５０が開放されるからケーブル９０の収納、固定などが極めて簡単に行える。またこの配線ホルダ５により、地中にケーブル９０を埋める必要などがなくなり、更に作業効率向上する。
【００１８】
また、支柱ボックス３をフエンスのコーナなどにおいて中継点として用いることにより、ケーブル９０を簡単にコーナに沿って敷設することができる等の効果がある。
【図面の簡単な説明】
【００１９】
【図１】本発明の一実施形態を示す斜視図。
【図２】本発明の一実施形態を示す部分拡大斜視図。
【図３】本発明の一実施形態を示す部分拡大断面図。
【図４】本発明の配線ホルダ５の部分拡大斜視図。
【図５】本発明の配線ホルダ５の胴縁２０への装着構造を示す断面図。
【符号の説明】
【００２０】
１：支柱、２：フエンス体、３：支柱ボックス、４：機器装着部、５：配線ホルダ、２０：胴縁、３０：空間、３１：開口、３２：フランジ、３３：連通孔、３５：底面、４０：空間、４１：開口、４２：フランジ、４３：開閉蓋、４４：装着面、５０：空間、５１：開口面、５２：開閉蓋、５５：バンド、５６：ボルト、９０：ケーブル。
【図１】
2007332630.tif 000003
【図２】
2007332630.tif 000004
【図３】
2007332630.tif 000005
【図４】
2007332630.tif 000006
【図５】
2007332630.tif 000007
【手続補正書】
【提出日】平成19年6月28日(2007.6.28)
【手続補正１】
【補正対象書類名】明細書
【補正対象項目名】０００４
【補正方法】変更
【補正の内容】
【０００４】
しかし、従来の構成は、特許文献１に示すように支柱とセンサなどの機器を一体的に構成するか、或いは特許文献２に示すようにフエンスとカメラを全く別体として装着する構成しかなかった。
フエンス本体や支柱と機器を一体として構成する場合、フエンスの種類と機器の組み合わせに自由度がない上、敷設済みのフエンスに装着することが難しいなどの問題がある。また、フエンスと機器を別体に装着する場合、フエンスの他に別に支柱などの構造体が必要である上、このように新たな支柱を設置するスペースが必要であるなどの問題がある。
更に、上記した何れの場合にも、機器に伴う電源ケーブルや信号ケーブルの処理については、全く考慮がなされておらず、ケーブルを地中に埋めるなどの手間の掛かる処理が必要であった。
また、別途フエンス近傍に配線用の丸管を後付けし、丸管の中に配線（ケーブル）を通す作業が必要であった。
本発明は上記従来技術の問題を解決することを目的とする。